(57)【要約】【課題】  汚れ、染みを目立たなくすることができるとともに、高級感と優れた汚れの捕集効果を兼ね備えた、軽量で薄く安価なマットを提供することを目的とする。【解決手段】  基布と、この基布の一方の面から延びる第１のパイル群と、前記第１のパイル群に挟まれた、前記基布の一方の面から延びる、黒色又は前記第１のパイル群の色彩よりも暗い色彩を有する第１のモノフィラメント群又はマルチフィラメント群のいずれか一方であるフィラメント群と、このフィラメント群の少なくとも一方の側に隣接して設けられた空隙部、又は前記第１のパイル群又はフィラメント群よりも低重量の第２のパイル群又は第２のモノフィラメント群からなる塵埃捕集領域とを具備することを特徴とする。【選択図】  図１
2005334463.tif 000002
【特許請求の範囲】
【請求項１】
基布と、
この基布の一方の面から延びる第１のパイル群と、
前記第１のパイル群に挟まれた、前記基布の一方の面から延びる、黒色又は前記第１のパイル群の色彩よりも暗い色彩を有する第１のモノフィラメント群又はマルチフィラメント群のいずれか一方であるフィラメント群と、
このフィラメント群の少なくとも一方の側に隣接して設けられた空隙部、又は前記第１のパイル群又はフィラメント群よりも低重量の第２のパイル群又は第２のモノフィラメント群からなる塵埃捕集領域と
を具備することを特徴とする敷物製品。
【請求項２】
前記塵埃捕集領域は、露出する前記基布上の空隙部であることを特徴とする請求項１に記載の敷物製品。
【請求項３】
前記フィラメント群の少なくとも一方の側に隣接して、前記基布の一方の面から延びる、前記第１のパイル群又はモノフィラメント群よりも高さの低い第３のパイル群又は第３のモノフィラメント群が設けられ、前記塵埃捕集領域は、前記第３のパイル群又は第３のモノフィラメント群上の空隙部であることを特徴とする請求項１に記載の敷物製品。
【請求項４】
前記塵埃捕集領域は、前記フィラメント群の一方の側に隣接して設けられた露出する前記基布上の空隙部、又は前記フィラメント群の一方の側に隣接して、前記基布の一方の面から延びる、前記第１のパイル群又はフィラメント群よりも高さの低い第３のパイル群又は第３のモノフィラメント群上の空隙部であることを特徴とする請求項１に記載の敷物製品。
【請求項５】
前記フィラメント群の少なくとも一方の側に隣接して、前記基布の一方の面から延びる、前記第１のパイル群又はフィラメント群と同様の高さを有し、前記第１のパイル群又はフィラメント群よりも低重量の第４のパイル群又は第４のモノフィラメント群が設けられていることを特徴とする請求項１に記載の敷物製品。
【発明の詳細な説明】
【技術分野】
【０００１】
本発明は、本発明は、マット、カーペット、ラグ等の敷物製品に係り、特に、汚れが目立たない、軽量で薄く、安価な敷物製品に関する。
【背景技術】
【０００２】
近年、店舗やオフィス、家庭において、マットをレンタルするレンタルマットの需要が多くなっている。このようなレンタルマットは、周期的にクリーニングされ、再使用されるが、マットに付着した汚れや染みが、洗濯後も取れずに残り、これが原因でマットが廃棄されることが多い。これは、レンタルマットの短寿命化につながり、レンタルマット業界のビジネスの利益を圧迫してしまう。
【０００３】
そのため、汚れ、染みが付きにくく、また付いたとしても洗濯により簡単に除去出来るようなマットが望まれている。また、汚れや染みが付いたとしても、それがカモフラージュされ、目立たないようなマットが望まれている。
【０００４】
汚れや染みを目立たなくさせるため、マットの色彩を暗い色にすることが考えられるが、そうした場合、マット全体が暗くなり、商品価値を下げてしまうといった欠点がある。
【０００５】
また、安価なマットとして、パイルの高さを低くしたマットがあるが、このようなマットは、全体に立体感がなくなり、見ばえが悪かったり、埃や汚れの捕集効果が低いという
いう問題がある。更に、捕集した埃や汚れがパイル間の奥まで入り、洗濯する時にかなりの時間とエネルギーコストがかかるという側面もある。
【０００６】
一方、レンタルマットを洗濯したり輸送する際、マットが重いと洗濯コストや輸送コストの上昇と同時に、人の作業上の負担も増加するため、マットの軽量化が望まれている。
【発明の開示】
【発明が解決しようとする課題】
【０００７】
本発明は、以上のような事情の下になされ、汚れ、染みを目立たなくすることができるとともに、高級感と優れた汚れの捕集効果を兼ね備えた、軽量で薄く、安価なマットを提供することを目的とする。
【課題を解決するための手段】
【０００８】
上記課題を解決するため、本発明の一態様は、基布と、この基布の一方の面から延びる第１のパイル群と、前記第１のパイル群に挟まれた、前記基布の一方の面から延びる、黒色又は前記第１のパイル群の色彩よりも暗い色彩を有する第１のモノフィラメント群又はマルチフィラメント群のいずれか一方であるフィラメント群と、このフィラメント群の少なくとも一方の側に隣接して設けられた空隙部、又は前記第１のパイル群又はフィラメント群よりも低重量の第２のパイル群又は第２のモノフィラメント群からなる塵埃捕集領域とを具備することを特徴とする敷物製品を提供する。
【０００９】
以上のように構成される本発明の一態様に係る敷物製品では、フィラメント群に隣接して空隙部又は低重量のパイルやモノフィラメントが設けられ、３次元構造となっているため、立体的に見え、空隙部の無い平面的な敷物製品に比べ、高級感や価値ある印象を顧客に与えることが出来る。
【００１０】
また、本発明の一態様に係る敷物製品は、このように立体的に見えるため、高さの低いパイル群を使用しても、見かけ上はそれほど低くは見えず、またパイル群が存在しないか若しくは低いパイル群上の空隙部を有するため、又は低重量のパイルやモノフィラメントを使用するため、コストの低減が可能であり、敷物製品の購入費用を抑えることが出来る。また、同様の理由で、敷物製品全体の重量を減少させることが出来、洗浄や輸送のコストを低下させることが可能であるとともに、人への作業上の負担も軽減することが可能である。加えて、薄型化が可能なため、ドアの下にも設置可能な敷物製品として、販売の拡大にも寄与することが出来る。
【００１１】
更に、本発明の一態様に係る敷物製品は、フィラメント群に隣接して空隙部からなる塵埃捕集領域を設けているため、フィラメント群によりかきとられた埃や汚れは、隣接する空隙部に効果的に捕捉される。特に、フィラメント群を列状に配列することで、非常に強いブラッシング効果を発揮させることが可能となり、靴の裏から埃や汚れを効果的にかき取ることが出来る。なお、空隙部に捕捉された埃や汚れは、洗浄により容易に除去可能であり、洗浄工程を簡素化することが出来る。
【００１２】
なお、本発明において、塵埃捕集領域とは、埃、土、砂等の塵埃に限らず、様々な汚れをも捕集する領域を言う。
【００１３】
更にまた、本発明の一態様に係る敷物製品では、フィラメント群は、黒色又はパイル群の色彩よりも暗い色彩を有しており、また空隙部では、暗い陰が形成される。即ち、フィラメント群及びその近傍では暗い色調となり、他の領域に対し、コントラスト効果が発揮されるため、敷物全体としては相対的に明るく視認される。そのため、全体としては平面的な敷物製品と同程度の明るさを保持しつつ、パイル群に比較的暗い色彩を用いることが出来るので、汚れ、染みをカモフラージュすることが出来る。その結果、敷物製品の寿命を延ばすことが可能となる。
【００１４】
一般に、敷物製品、特にレンタルマットは、何回か洗浄した後、廃棄される。廃棄原因の１つは、マットファブリックの上に付着する、例えば、コーヒー、お茶、油、土のような染みや汚れである。これらの染みや汚れは、一旦マットに付着すると洗浄により洗い落とすことが困難であるからである。この点、汚れ、染みをカモフラージュ出来ることは、敷物製品の長寿命化を図る上で、有効である。
【００１５】
なお、敷物の上にパターンをプリントすることで、その相乗効果としてカモフラージュ効果を更に強めることが可能である。更に、上述したコントラスト効果により、特に高濃度の染料でプリントすることが可能であり、それによって耐光堅牢度を強める効果もある。
【発明の効果】
【００１６】
本発明によると、汚れ、染みを目立たなくすることができるとともに、高級感と優れた汚れの捕集効果を兼ね備えた、軽量で薄く安価なマットが提供される。
【発明を実施するための最良の形態】
【００１７】
以下、図面を参照して、本発明の様々な実施形態に係る、パイル群、モノフィラメント群等を列状に配列したマットについて説明する。
【００１８】
実施形態１
図１は、本発明の一実施形態に係るマットを示す斜視図である。図１に示すマットは、基布１の上面にパイル列２及び黒色のモノフィラメント列３を、間に空隙部４を隔てて設け、また基布１の裏面にラバー層５を貼り付けることにより構成されている。即ち、図１に示すマットでは、モノフィラメント列３の両側に、塵埃捕集領域としての空隙部４が設けられている。
【００１９】
このようなマットでは、モノフィラメント列３によりブラッシング効果が発揮され、その結果、埃や汚れは靴の裏から効果的にかき取られ、両側の空隙部４に捕集される。図中、参照符号６は、埃や汚れを示す。
【００２０】
このように、本実施形態に係るマットでは、モノフィラメント列３の両側に空隙部４が設けられているという３次元構造を有するため、立体的に見え、たとえ低いパイルを用いたとしても、高級感を得ることが出来る。
【００２１】
また、空隙部４に捕集された埃や汚れ５は、洗浄により容易に除去することが出来る。  
更に、黒色のモノフィラメント列３と、空隙部４により形成された陰とにより、比較的暗い色彩のパイル列２に対するコントラスト効果が発揮され、汚れ、染みをカモフラージュすることが出来た。その結果、敷物製品の寿命を延ばすことが可能となる。
【００２２】
実施形態２
図２は、本発明の他の実施形態に係るマットを示す斜視図であり、モノフィラメント列３の片側に塵埃捕集領域としての空隙部４が設けられていることを除き、図１に示すマットと同様の構成を有する。
【００２３】
本実施形態に係るマットもまた、図１に示すマットと同様、優れた立体視認効果、汚れカモフラージュ効果、及び汚れ捕集効果を発揮する。
【００２４】
を示した。
【００２５】
実施形態３
図３は、本発明の更に他の実施形態に係るマットを示す斜視図であり、モノフィラメント列３の片側には、高さの低いパイル列又はモノフィラメント列７が設けられ、その上に塵埃捕集領域としての空隙部８が設けられている。
【００２６】
本実施形態に係るマットもまた、図１に示すマットと同様、優れた立体視認効果、汚れカモフラージュ効果、及び汚れ捕集効果を発揮する。
【００２７】
実施形態４
図４は、本発明の更に他の実施形態に係るマットを示す斜視図であり、モノフィラメント列３の片側には、同一の高さであるが、低重量の細いパイル列又はモノフィラメント列９が設けられている。このマットでは、パイル列又はモノフィラメント列９が塵埃捕集領域としての機能を有する。パイル列又はモノフィラメント列９は、細いので間隔があいており、その間隔に塵埃が捕集される。
【００２８】
本実施形態に係るマットもまた、図１に示すマットと同様、優れた立体視認効果、汚れカモフラージュ効果、及び汚れ捕集効果を発揮する。また、低重量の細いパイル列又はモノフィラメント列９を用いているため、マットを軽量化し得るという利点がある。
【００２９】
以上、モノフィラメント列と空隙部の配列のさまざまな例について示したが、本発明は、これらの例だけでなく、更にさまざまな組み合わせを用いてもよい。例えば、黒又は色の暗いモノフィラメント列の代わりに黒又は色の暗いマルチフィラメント列を設けてもよく、また、モノフィラメント列の一方の側に限らず両側に、高さの低いパイル列又はモノフィラメント列を設けてもよい。或いは、モノフィラメント列の一方の側に基布が露出する空隙部を、他方の側に高さの低いパイル列又はモノフィラメント列を設けてもよい。
【００３０】
また、パイル列、黒又は色の濃いモノフィラメント列又はマルチフィラメント列、空隙部、低重量のパイル列又はモノフィラメント列の列数は、特に限定されず、任意の列数の組み合わせを用いることが出来る。
【００３１】
本発明の実施形態に係るマットに用いられる基布としては、織布、不織布を問わず利用することが出来、その材質も、ナイロン、ポリエステル、ポリプロピレン、コットン、アクリル、ガラス、又はそれらの組み合わせ等、どのようなものでもよい。なお、空隙部４において露出する基布１の表面が、洗濯時にはだけた感じになることがあるが、この場合、基布１を薄くしたり、ポーラスにして、裏面のラバー層５を基布表面に浸透させることにより、そのような現象を防止することが出来る。
【００３２】
パイル列２及びモノフィラメント３を構成するファイバーとしては、例えばマルチフィラメントヤーンで０．１−１００ｄｐｆ、特に１−５０ｄｐｆ、 モノフィラメントでは１００−５０００ｄｐｆ、特に１００−２０００ｄｐｆのものを好ましく使用することが出来るが、これらに限られるものではない。
【００３３】
ファイバーの材質は、天然繊維、合成繊維を問わず、ナイロン、ポリエステル、ポリプロピレン、コットン、アクリル、レーヨン、又はそれらの組み合わせ等、どのようなものを用いるこもと可能である。なお、原着糸だけでなく、白糸又は各種染色糸、或いはこれらの組み合わせにも適用することができる。
【００３４】
以上説明した本発明実施形態に係るマットの３次元構造上に対し、所定のパターンを形成することが出来る。所定のパターンは、ダイインジェクション（Dye injection）、タフティング、グラフィックタフティング（Graphic tufting）、スクリーンプリント、ロータリープリント等、いかなるパターニングの方法、またはこれらの組み合わせにより形成することが出来る。このようなパターンの形成は、汚れをカモフラージュする効果を更に増大させるので、好ましい相乗効果がある。
【産業上の利用可能性】
【００３５】
本発明は、マット、カーペット、ラグ等のすべての敷物製品に好適に適用可能である。また、レンタル製品に限らず、売り切り製品にも適用可能であることは言うまでもない。
【図面の簡単な説明】
【００３６】
【図１】本発明の一実施形態に係るマットを示す斜視図。
【図２】本発明の他の実施形態に係るマットを示す斜視図。
【図３】本発明の更に他の実施形態に係るマットを示す斜視図。
【図４】本発明の更にまた他の実施形態に係るマットを示す斜視図。
【符号の説明】
【００３７】
１…基布、２・・パイル列、３・・・モノフィラメント列、４，８・・・空隙部、５・・・ラバー層、６・・・埃・汚れ、７・・・低いパイル列又はモノフィラメント列、９・・・低重量のパイル列又はモノフィラメント列。
【図１】
2005334463.tif 000003
【図２】
2005334463.tif 000004
【図３】
2005334463.tif 000005
【図４】
2005334463.tif 000006